(57)【要約】【課題】容易な操作で一つのカメラをダーモスコピーカメラ態様と通常のカメラ態様とに切り換えることができるアタッチメント及びダーモスコピーカメラを提供する。【解決手段】病変を撮影するために用いられるアタッチメント２０であって、カメラ本体１０の底面に取り付けられる支持部２３と、支持部２３に回動可能に取り付けられた台座部２２と、光源３２と、光源３２を内包するように台座部２３の一部に設けられる基端部３０と、基端部３０の遠位側に着脱可能に取り付けられ、コンバージョンレンズ３４が配置された先端部４０と、を備える。【選択図】図３
2018011212.tif 000002
【特許請求の範囲】
【請求項１】
病変を撮影するために用いられるカメラのアタッチメントであって、
前記カメラの底面に取り付けられる支持部と、
前記支持部に回動可能に取り付けられた台座部と、
光源と、
前記光源を内包するように前記台座部の一部に設けられる基端部と、
前記基端部の遠位側に着脱可能に取り付けられ、コンバージョンレンズが配置された先端部と、を備えることを特徴とするアタッチメント。
【請求項２】
前記台座部が前記支持部の前方下側に回動可能に取り付けられることを特徴とする請求項１に記載のアタッチメント。
【請求項３】
前記光源が前記基端部の遠位側の周縁の少なくとも一部に配置されることを特徴とする請求項１又は２に記載のアタッチメント。
【請求項４】
前記支持部が左右方向に開口する長穴を有し、前記長穴を活用して前記カメラの三脚ネジ固定部に合わせて左右方向の取り付け位置を調整することを特徴とする請求項１から３のいずれか１項に記載のアタッチメント。
【請求項５】
前記支持部が前記台座部に対して取替え可能に構成された軸部を有することを特徴とする請求項１から４のいずれか１項に記載のアタッチメント。
【請求項６】
前記光源がＬＥＤランプであることを特徴とする請求項１から５のいずれか１項に記載のアタッチメント。
【請求項７】
さらに、前記台座部の端部に設けられ、前記光源を点灯するバッテリー部を備えることを特徴とする請求項１から６のいずれか１項に記載のアタッチメント。
【請求項８】
病変を撮影するために用いられるダーモスコピーカメラであって、
カメラ本体と、
前記カメラ本体に着脱可能に取り付けられる、請求項１から７のいずれか１項に記載のアタッチメントと、を備えることを特徴とするダーモスコピーカメラ。
【発明の詳細な説明】
【技術分野】
【０００１】
本発明は、病変を撮影するために用いられるカメラのアタッチメント及びダーモスコピーカメラに関するものである。
【背景技術】
【０００２】
近年、皮膚科の診療においては、カメラ撮影が多用されている。例えば、カメラ本体にダーモスコピー用アタッチメントが装着されたダーモスコピーカメラを用い、偏光作用を有するジェルを介して強いＬＥＤ光を当てながら疾患部を１０倍〜３０倍に拡大して撮影するダーモスコピー撮影が行われている（例えば、特許文献１参照）。
【０００３】
ダーモスコピー撮影は、ダーモスコピー診断に際して行われる撮影であり、ダーモスコピー診断では、ダーモスコピー撮影により得られた疾患部の拡大画像に基づいて、皮膚表面だけでなく皮膚下の状態を認識することにより、病変が詳細に診断される。
【０００４】
ダーモスコピー診断を行う際、多くの皮膚科医は、下記の手順で撮影を行っている。
１）個人を特定するために、通常のカメラを用いて患者のカルテを撮影する。
２）疾患部の位置を特定するために、通常のカメラを用いて疾患部及びその周辺を非接触状態で撮影する。
３）ダーモスコピーカメラを用いて疾患部を接触状態で撮影する。
【０００５】
上記のような一連の撮影手順によれば、他の患者の撮影画像と誤認したり、疾患部の位置を誤認したりすることを防止できる。さらに、上記のような一連の撮影手順を一つのカメラで実行すれば、一連の撮影画像に連番が付与されるので、撮影画像の管理が容易になるという利点がある。
【０００６】
しかしながら、一つのカメラを用いて上記のような手順で撮影を行う場合、カルテや疾患部及びその周辺を通常のカメラで撮影した後、通常のカメラにダーモスコピー用アタッチメントを装着して疾患部をダーモスコピー撮影する必要があるので、一連の撮影に手間と時間がかかるという問題があった。
【先行技術文献】
【特許文献】
【０００７】
【特許文献１】特開２００５−１９２９４４号公報
【発明の概要】
【発明が解決しようとする課題】
【０００８】
本発明は、このような事情に鑑みなされたものであり、容易な操作で一つのカメラをダーモスコピーカメラ態様と通常のカメラ態様とに切り換えることができるアタッチメント及びダーモスコピーカメラを提供することを目的とする。
【課題を解決するための手段】
【０００９】
上記した課題を解決するために本発明の一態様は、病変を撮影するために用いられるカメラのアタッチメントであって、前記カメラの底面に取り付けられる支持部と、前記支持部に回動可能に取り付けられた台座部と、光源と、前記光源を内包するように前記台座部の一部に設けられる基端部と、前記基端部の遠位側に着脱可能に取り付けられ、コンバージョンレンズが配置された先端部と、を備えることを特徴とする。
本発明の他の特徴は、本明細書及び添付図面の記載により明らかにする。
【発明の効果】
【００１０】
本発明によれば、容易な操作で一つのカメラをダーモスコピーカメラ態様と通常のカメラ態様とに切り換えることができるアタッチメント及びダーモスコピーカメラの提供が可能になる。
【図面の簡単な説明】
【００１１】
【図１】本発明の実施形態に係るダーモスコピーカメラを示す図であり、（ａ）はダーモスコピーカメラの平面図、（ｂ）はダーモスコピーカメラの正面図、（ｃ）はダーモスコピーカメラの底面図、（ｄ）はダーモスコピーカメラの側面図、（ｅ）はダーモスコピーカメラの背面図である。
【図２】図１の（ｂ）のＸ−Ｘ断面図である。
【図３】本発明の実施形態に係るダーモスコピーカメラの態様切り替えを示す図であり、（ａ）は切り替え途中のダーモスコピーカメラを示すＸ−Ｘ断面図、（ｂ）は通常カメラ態様のダーモスコピーカメラを示すＸ−Ｘ断面図である。
【図４】本発明の実施形態に係るダーモスコピーカメラの態様切り替えを示す図であり、（ａ）はダーモスコピーカメラ態様のダーモスコピーカメラを示す斜視図、（ｂ）は通常カメラ態様のダーモスコピーカメラを示す斜視図である。
【発明を実施するための形態】
【００１２】
以下、本発明に係る実施形態のアタッチメント２０及びダーモスコピーカメラ１について、図面を用いて説明する。
【００１３】
（ダーモスコピーカメラ）
図１は、本発明の実施形態に係るダーモスコピーカメラ１を示す図であり、（ａ）はダーモスコピーカメラ１の平面図、（ｂ）はダーモスコピーカメラ１の正面図、（ｃ）はダーモスコピーカメラ１の底面図、（ｄ）はダーモスコピーカメラ１の側面図、（ｅ）はダーモスコピーカメラ１の背面図、図２は、図１の（ｂ）のＸ−Ｘ断面図である。図１及び図２に示すように、ダーモスコピーカメラ１は、カメラ本体１０と、カメラ本体１０に取り付けられるアタッチメント２０と、を備える。
【００１４】
（カメラ本体）
カメラ本体１０は、デジタルカメラであり、筐体１１と、撮影時に筐体１１の前面から遠位側に突出し、被写体の像を筐体１１の内部に設けられる撮像素子（図示せず）上に結像させるズームレンズ部１２と、筐体１１の背面に設けられ、撮像素子が読み取った撮影画像を表示する液晶表示部１３と、筐体１１の上面に設けられるシャッタボタン１４と、筐体１１の底面に設けられる三脚ネジ固定部１５と、を備える。
【００１５】
さらに、筐体１１の内部には、上述した撮像素子の他に、シャッタボタン１４の操作に応じて、撮像素子が読み取った撮影画像を記憶する記憶部と、記憶した撮影画像を無線又は有線で外部機器（例えば、ダーモスコピー診断を行うコンピュータ）に送信する通信部と、上述した各部を制御する制御部と、上述した各部に電源を供給するバッテリー部と、が設けられているが、これらの図示は省略する。
【００１６】
（アタッチメント）
アタッチメント２０は、全体として概ね円筒形状を有し、ズームレンズ部１２の外周を囲むようにカメラ本体１０の前面側に取り付けられるアタッチメント本体２１と、カメラ本体１０の前面に沿い、アタッチメント本体２１を支持する台座部２２と、カメラ本体１０の底面に取り付けられ、台座部２２を支持する支持部２３と、を備える。
【００１７】
アタッチメント本体２１は、カメラ本体１０の前面に取り付けられ、ズームレンズ部１２の外周を囲む基端部３０と、基端部３０の遠位側に取り付けられる先端部４０と、を備える。なお、本実施形態の先端部４０は、基端部３０の遠位側に着脱可能に取り付けられるが、着脱不能であってもよいし、基端部３０と一体に形成してもよい。
【００１８】
（基端部）
基端部３０は、ズームレンズ部１２の外周を囲む第１カバー部材３１と、第１カバー部材３１の遠位側の内周縁部に配置される光源３２と、を備える。第１カバー部材３１は、径寸法が均等な円筒状に形成される円筒部３１ａと、円筒部３１ａから遠位側に向かって拡がるようにテーパ状に形成された拡径テーパ部３１ｂと、を一体に有している。なお、光源３２は、基端部３０の第１カバー部材３１の遠位側の内周縁部のほかにも、例えば、ズームレンズ部１２の周辺のカメラ本体１０に配置されていてもよく、要するに、基端部３０とカメラ本体１０によって囲われる領域に内包されるように配置されていればよい。
【００１９】
光源３２は、ズームレンズ部１２の外周位置から遠位側に向けて光を出射するように、拡径テーパ部３１ｂの内周部に取り付けられる。本実施形態の光源３２は、複数のＬＥＤランプ３３からなり、拡径テーパ部３１ｂの内周部に周方向に所定の間隔を置いて配置されている。
【００２０】
このように構成された光源３２は、基端部３０の遠位側に先端部４０が取り付けられている状態では、先端部４０内を介して患者の疾患部を照らすダーモスコピー撮影用フラッシュ（又はマクロ撮影用フラッシュ）として機能する一方、基端部３０の遠位側に先端部４０が取り付けられていない状態では、ズームレンズ部１２の外周位置から遠位側に光を出射するリングフラッシュとして機能することが可能になる。
【００２１】
なお、本実施形態のＬＥＤランプ３３は、基板３３ａに３つのＬＥＤ素子３３ｂを実装して構成され、拡径テーパ部３１ｂの内周部に周方向に所定の間隔を置いて４つ配置されているが、ＬＥＤランプ３３やＬＥＤ素子３３ｂの数は適宜変更することができる。例えば、リング状の基板に多数のＬＥＤ素子を等間隔で実装したリング形状のＬＥＤランプとしてもよい。
【００２２】
（先端部）
本実施形態の先端部４０は、基端部３０の遠位側に着脱可能に取り付けられ、内部にコンバージョンレンズ４３が配置されたレンズ部４１と、レンズ部４１の遠位側に取り付けられ、患者の疾患部にその先端が接触する接触部４６と、を含んでいる。なお、本実施形態の先端部４０は、基端部３０の遠位側に着脱可能に取り付けられるが、着脱不能であってもよいし、基端部３０と一体に形成してもよい。着脱可能とする場合には、例えば、先端部４０と基端部３０をマグネット（不図示）により付着させることができるが、図２では位置決めのために用いる係合凸部３１ｃ及び係合凹部４２ａを示している。
【００２３】
（レンズ部）
レンズ部４１は、基端部３０の遠位側端面に、先端部４０の一部として、着脱可能に取り付けられる第２カバー部材４２と、第２カバー部材４２の近位側内部空間に配置されるコンバージョンレンズ４３と、を備える。第２カバー部材４２は、遠位側に向かって細くなるようにテーパ角θ１をもって形成された縮径テーパ形状を有し、光源３２から出射された光を遠位側に向かって集光する機能を備える。なお、第２カバー部材４２は、光が透過せず、光源３２の光を効率良く集光可能であれば、任意の材料（例えば、不透明樹脂）で形成することができる。
【００２４】
コンバージョンレンズ４３は、カメラ本体１０のズームレンズ部１２と患者の疾患部との間に介在し、撮影画像の拡大倍率を増大させる。具体的には、ズームレンズ部１２の拡大倍率と合わせて、患者の疾患部を１０倍〜３０倍に拡大可能なレンズ部材４３ａが用いられる。レンズ部材４３ａは、レンズ支持部材４３ｂを介して第２カバー部材４２の内周部に取り付けられる。
【００２５】
本実施形態のコンバージョンレンズ４３は、１つのレンズ部材４３ａと、レンズ部材４３ａの外周部から放射方向に延在して第２カバー部材４２の内周部に固定される４つのレンズ支持部材４３ｂと、を備える。
【００２６】
光源３２を構成する４つのＬＥＤランプ３３の光は、レンズ部材４３ａの外周部と第２カバー部材４２の内周部との間の空間を通って患者の疾患部に向けて出射される。このとき４つのレンズ支持部材４３ｂは、４つのＬＥＤランプ３３と光軸方向に重ならないように配置される。これにより、レンズ支持部材４３ｂの影が撮影画像に映り込むことが回避される。
【００２７】
（接触部）
接触部４６は、レンズ部４１の遠位側端面に着脱可能に取り付けられる第３カバー部材４７と、第３カバー部材４７の遠位側の開口部４７ａを覆うカバーガラス４８と、を備える。第３カバー部材４７は、遠位側に向かって細くなるようにテーパ角θ２をもって形成された縮径テーパ形状を有し、光源３２から出射された光を遠位側に向かって集光する機能を備える。なお、本実施形態の接触部４６は、レンズ部４１の遠位側に着脱可能に取り付けられるが、着脱不能であってもよいし、レンズ部４１と一体に形成してもよい。着脱可能とする場合には、例えば、接触部４６とレンズ部４１をマグネット（不図示）により付着させることができるが、図２では位置決めのために用いる係合凸部４２ｂ及び係合凹部４７ａを示している。
【００２８】
つまり、先端部４０においては、レンズ部４１の第２カバー部材４２及び接触部４６の第３カバー部材４７が、遠位側に向かって細くなるように、テーパ状にそれぞれ形成されているが、接触部４６の第３カバー部材４７がレンズ部４１の第２カバー部材４２よりも光軸に向かって急角度なテーパ状（θ２＞θ１）に形成されている。これにより、アタッチメント本体２１の光軸方向の長さを抑えつつ、光源３２からの光を第３カバー部材４７の遠位側の開口部４７ａ内に集光することが可能になる。なお、第３カバー部材４７は、光が透過せず、光源３２の光を効率良く集光可能であれば、任意の材料（例えば、不透明樹脂）で形成することができる。
【００２９】
カバーガラス４８は、第３カバー部材４７の遠位側の開口部４７ａを覆いつつ、光源３２からの光やその反射光を透過させる透明板部材からなり、ダーモスコピー撮影に際しては、偏光作用を有するジェル（図示せず）を介して患者の疾患部に接触される。疾患部との接触部位は、他の患者への細菌の感染を防止するために、ダーモスコピー撮影後に洗浄・除菌が行われる。このとき、本実施形態のアタッチメント本体２１では、先端部４０全体を基端部３０から取り外すことなく、基端部３０側に先端部４０のレンズ部４１を残しつつ、先端部４０の接触部４６だけを取り外すことができるので、ダーモスコピー撮影後の洗浄・除菌作業が容易になるだけでなく、予備の接触部４６を用意しておけば、接触部４６を交換して直ちに他の患者の撮影に移行することも可能になる。
【００３０】
（台座部）
台座部２２は、カメラ本体１０の前面に沿い、アタッチメント本体２１を支持する。本実施形態の台座部２２は、基端部３０を構成する第１カバー部材３１と一体に形成されているが、別部材としてもよい。
【００３１】
図３は、本発明の実施形態に係るダーモスコピーカメラ１の態様切り替えを示す図であり、（ａ）は切り替え途中のダーモスコピーカメラ１を示すＸ−Ｘ断面図、（ｂ）は通常カメラ態様のダーモスコピーカメラ１を示すＸ−Ｘ断面図、図４は、本発明の実施形態に係るダーモスコピーカメラ１の態様切り替えを示す図であり、（ａ）はダーモスコピーカメラ態様のダーモスコピーカメラ１を示す斜視図、（ｂ）は通常カメラ態様のダーモスコピーカメラ１を示す斜視図である。
【００３２】
図３及び図４に示すように、台座部２２は、その下端部が支持部２３の前端部に回動自在に取り付けられており、支持部２３側の軸部２３ａを中心として前方下側へ回動できるようになっている。つまり、アタッチメント２０は、図１、図２及び図４の（ａ）に示すように、アタッチメント本体２１がカメラ本体１０のスームレンズ部１２を覆うダーモスコピーカメラ態様と、支持部２３に対する台座部２２の前方下側への回動に応じて、ズームレンズ部１２を露出させる通常カメラ態様と、に切り替えが可能となっている。アタッチメント２０は、台座部２２をカメラ本体１０の側に閉じたときに、図４（ｂ）に示すように、例えば、台座部２２に開口している基端部３０の周囲及びズームレンズ部１２の周囲にそれぞれ設けられているマグネット５０ａ、５０ｂによって着脱可能に固定することができる。なお、ここでは台座部２２を回動する方向を前方下側としているが、前方下側は一態様であり、例えば、支持部２３をカメラ本体１０の右側に設けて前方右側へ、同じく左側に設けて前方左側へ、又は同じく上側に設けて前方上側へ回動するような態様とすることもできる。
【００３３】
さらに、本実施形態の台座部２２は、一端部に前方に膨出したバッテリー部２２ａを有し、このバッテリー部２２ａに内装されるバッテリー（図示せず）を電源として光源３２が点灯される。このようなアタッチメント２０によれば、アタッチメント２０の光源３２をカメラ本体１０のバッテリー部に電気的に接続する必要がないので、配線の簡略化が図れる。また、バッテリー部２２ａは、カメラ本体１０の一端部で前方に膨出することにより、カメラ本体１０及びアタッチメント２０を同時に把持可能なグリップ部としても機能させることができる。なお、ここでは台座部２２の大きさをカメラ本体１０とほぼ同じ長さにしているが、これは一態様であり、これより短くてもよく、ズームレンズ部１２のサイズをカバーできればよい。
【００３４】
（支持部）
支持部２３は、カメラ本体１０の底面に沿い、三脚ネジ規格に適合するネジ部材２４を介してカメラ本体１０の三脚ネジ固定部１５に固定される。具体的には、支持部２３に形成される固定穴２３ｂをカメラ本体１０の三脚ネジ固定部１５に位置合わせし、固定穴２３ｂを介してネジ部材２４を三脚ネジ固定部１５にねじ込むことにより、支持部２３がカメラ本体１０の底面に固定される。このような支持部２３の固定構造によれば、カメラ本体１０に標準的に設けられる規格化された三脚ネジ固定部１５を利用してアタッチメント２０を取り付けることが可能になる。
【００３５】
通常、カメラ本体１０において、ズームレンズ部１２と三脚ネジ固定部１５との位置関係は、機種毎に相違している。具体的には、図１の（ｃ）に示すように、ズームレンズ部１２の中心に対する三脚ネジ固定部１５の左右方向のオフセット寸法Ａと、図２に示すように、ズームレンズ部１２の中心からカメラ本体１０の底面までの高さ寸法Ｂと、三脚ネジ固定部１５の中心からカメラ本体１０の前面までの前後寸法Ｃと、が機種毎に相違するため、機種によってアタッチメント２０の取り付けが困難になる虞がある。
【００３６】
本実施形態のアタッチメント２０は、寸法Ａ、Ｂ、Ｃが相違するカメラ本体１０への取り付けを可能にする構成を備える。まず、寸法Ａの相違については、図１の（ｃ）に示すように、支持部２３に形成される固定穴２３ｂを左右方向に沿って開口する長穴とすることで対応する。つまり、カメラ本体１０に対するアタッチメント２０の取り付け位置を固定穴２３ｂに沿って左右方向に調整することにより、寸法Ａが相違する機種への取り付けを可能にする。
【００３７】
また、寸法Ｂ、Ｃの相違については、寸法Ｂ、Ｃに適合する支持部２３を各種用意し、支持部２３だけを取替えることで対応する。例えば、図２に示すように、寸法Ｂの相違については、支持部２３の上面から軸部２３ａの回動中心までの高さ寸法Ｄを、アタッチメント本体２１のレンズ中心から軸部２３ａの回動中心までの高さ寸法Ｅから寸法Ｂを引いた寸法に一致させ、また、寸法Ｃの相違については、支持部２３の前端から固定穴２３ｂの中心までの前後寸法Ｆを寸法Ｃに一致させることで吸収可能とする。なお、支持部２３の軸部２３ａは、台座部２２に対して支持部２３を取替え可能に構成されており、例えば、軸部２３ａを抜き差し自在に構成すれば、台座部２２に対して支持部２３が取替え可能となるが、具体的な図示及び詳細な説明は省略する。
【００３８】
（ダーモスコピー診断における撮影手順）
つぎに、本実施形態のダーモスコピーカメラ１を用いてダーモスコピー診断を行う際の撮影手順について説明する。
【００３９】
ダーモスコピー診断を行う皮膚科医は、まず、個人を特定するために患者のカルテを撮影する。カルテの撮影に際しては、図４の（ｂ）に示すように、アタッチメント本体２１及び台座部２２を前方下側に回動させ、カメラ本体１０のズームレンズ部１２を露出させた通常カメラ態様のダーモスコピーカメラ１で撮影を行うことができる。
【００４０】
つぎに、皮膚科医は、疾患部の位置を特定するために、患者の疾患部及びその周辺を撮影する。この撮影は、カルテの撮影と同様、通常カメラ態様のダーモスコピーカメラ１で撮影を行うため、カルテの撮影後、直ちに行うことができる。
【００４１】
つぎに、皮膚科医は、患者の疾患部をダーモスコピー撮影する。この撮影は、図４の（ａ）に示すように、アタッチメント本体２１及び台座部２２を上方後側に回動させ、アタッチメント本体２１がカメラ本体１０のズームレンズ部１２を覆ったダーモスコピーカメラ態様で行う。このような一連の撮影手順によれば、アタッチメント本体２１及び台座部２２を回動するだけの簡単な操作でダーモスコピーカメラ１を通常カメラ態様とダーモスコピーカメラ態様に切り替えながら行うことができるので、ダーモスコピー診断時の撮影を大幅に簡略化できる。
【００４２】
（実施形態の効果）
以上に述べた実施形態によれば、病変を撮影するために用いられるアタッチメント２０であって、カメラ本体１０の底面に取り付けられる支持部２３と、支持部２３の前方下側に回動可能に取り付けられた台座部２２と、台座部２３の一部に設けられたアタッチメント本体２１と、を備え、アタッチメント本体２１が、遠位側の周縁の少なくとも一部に光源３２が配置された基端部３０と、基端部３０の遠位側に取り付けられ、コンバージョンレンズ３４が配置された先端部４０と、を有するので、アタッチメント本体２１がカメラ本体１０のズームレンズ部１２を覆う状態では、光源３２の光を先端部４０で集光して患者の疾患部を照射しつつ、コンバージョンレンズ４３を介して患者の疾患部を拡大撮影するダーモスコピーカメラとして使用できる一方、アタッチメント本体２１及び台座部２２を前方下側に回動させ、カメラ本体１０のズームレンズ部１２を露出させれば、通常のカメラとして使用できる。
【００４３】
また、アタッチメント２０は、カメラ本体１０の底面に設けられる三脚ネジ固定部１５を利用して取り付けられるので、カメラ側に専用の固定部を設けなくてもアタッチメント２０の取り付けが可能になる。
【００４４】
また、アタッチメント２０の支持部２３は、ネジ部材２４を介して三脚ネジ固定部１５に固定するため固定穴２３ｂを有し、この固定穴２３ｂが左右方向に沿って開口する長穴となっているので、この長穴に沿ってアタッチメント２０の取り付け位置を左右方向に調整することで、ズームレンズ部１２の中心に対する三脚ネジ固定部１５の左右方向のオフセット寸法Ａが相違するカメラへの取り付けが可能になる。
【００４５】
また。アタッチメント２０の支持部２３は、台座部２２に対して取替え可能に構成された軸部２３ａを有するので、寸法が相違する支持部２３との取替えに基づいて、ズームレンズ部１２の中心からカメラ本体１０の底面までの高さ寸法Ｂや、三脚ネジ固定部１５の中心からカメラ本体１０の前面までの前後寸法Ｃが相違するカメラへの取り付けが可能になる。
【００４６】
また、光源３２には、ＬＥＤランプ３３が用いられるので、光源３２をコンパクトに構成しつつ、ダーモスコピー撮影において患者の疾患部を強いＬＥＤ光で照射することができる。
【００４７】
また、台座部２２の一端部には、アタッチメント２０の光源３２を点灯させるバッテリー部２２ａが設けられているので、アタッチメント２０の光源３２をカメラ本体１０のバッテリー部に電気的に接続する場合に比べ、配線を簡略化できる。
【００４８】
なお、本発明の技術的範囲には、本発明の目的が達成される範囲での様々な変形や改良などが含まれるものである。
【００４９】
例えば、上述の実施形態では、アタッチメント本体が基端部とレンズ部と接触部とに３分割されているが、レンズ部と接触部とを一体化し、基端部と先端部との２分割としてもよし、基端部と先端部とを一体化してもよい。
【００５０】
以下に、この出願の願書に最初に添付した特許請求の範囲に記載した発明を付記する。付記に記載した請求項の項番は、この出願の願書に最初に添付した特許請求の範囲の通りである。
［請求項１］
病変を撮影するために用いられるカメラのアタッチメントであって、
前記カメラの底面に取り付けられる支持部と、
前記支持部に回動可能に取り付けられた台座部と、
光源と、
前記光源を内包するように前記台座部の一部に設けられる基端部と、
前記基端部の遠位側に着脱可能に取り付けられ、コンバージョンレンズが配置された先端部と、を備えることを特徴とするアタッチメント。
［請求項２］
前記台座部が前記支持部の前方下側に回動可能に取り付けられることを特徴とする請求項１に記載のアタッチメント。
［請求項３］
前記光源が前記基端部の遠位側の周縁の少なくとも一部に配置されることを特徴とする請求項１又は２に記載のアタッチメント。
［請求項４］
前記支持部が左右方向に開口する長穴を有し、前記長穴を活用して前記カメラの三脚ネジ固定部に合わせて左右方向の取り付け位置を調整することを特徴とする請求項１から３のいずれか１項に記載のアタッチメント。
［請求項５］
前記支持部が前記台座部に対して取替え可能に構成された軸部を有することを特徴とする請求項１から４のいずれか１項に記載のアタッチメント。
［請求項６］
前記光源がＬＥＤランプであることを特徴とする請求項１から５のいずれか１項に記載のアタッチメント。
［請求項７］
さらに、前記台座部の端部に設けられ、前記光源を点灯するバッテリー部を備えることを特徴とする請求項１から６のいずれか１項に記載のアタッチメント。
［請求項８］
病変を撮影するために用いられるダーモスコピーカメラであって、
カメラ本体と、
前記カメラ本体に着脱可能に取り付けられる、請求項１から７のいずれか１項に記載のアタッチメントと、を備えることを特徴とするダーモスコピーカメラ。
【符号の説明】
【００５１】
１、１Ｂ  ダーモスコピーカメラ
１０  カメラ本体
１２  ズームレンズ部
１５  三脚ネジ固定部
２０  アタッチメント
２１  アタッチメント本体
２２  台座部
２２ａ  バッテリー部
２３  支持部
２３ａ  軸部
２３ｂ  固定穴
３４  ネジ部材
３０  基端部
３２  光源
４０  先端部
４３  コンバージョンレンズ
【図１】
2018011212.tif 000003
【図２】
2018011212.tif 000004
【図３】
2018011212.tif 000005
【図４】
2018011212.tif 000006